(57)【特許請求の範囲】
【請求項１】
媒体の収納方向及び繰出し方向に回転するドラムと、該ドラムにテープを供給すると共に前記テープを巻き戻すリールと、前記ドラムの外周から所定の距離を置いて配置された搬送手段を備え、前記テープは媒体搬送方向と直交する方向の媒体の幅より狭い幅に形成され、
媒体収納時に搬送手段により前記ドラムに向かって搬送される媒体を前記テープと共にドラムの外周に巻取って収納し、媒体繰出し時には前記テープを前記リールに巻戻して前記ドラムの外周から前記媒体を繰出すと共に前記搬送手段で搬送する媒体収納繰出し装置において、
前記搬送手段を前記テープの幅以下に収まり、かつ前記テープと接触しない位置に配置したことを特徴とする媒体収納繰出し装置。
【請求項２】
請求項１に記載の媒体収納繰出し装置において、
前記搬送手段として前記媒体を挟持して搬送する複数対の搬送ローラを前記テープの幅以下に収まるように配置したことを特徴とする媒体収納繰出し装置。
【発明の詳細な説明】
【技術分野】
【０００１】
本発明は、ドラムとリールの間でテープの巻き取り、繰出しを行うことにより媒体の収納と繰出しを行う媒体収納繰出し装置に関する。
【背景技術】
【０００２】
従来のこの種の媒体収納繰出し装置として、１つのドラムと、２つのリールを備え、その２つのリールから供給される２本のテープをそれぞれアイドルローラを経由させて重ねてドラムに導くと共に、両テープの端部をドラムの外周に固定しておき、搬送手段によりテープ間に送込まれる媒体をテープと共にドラムで巻き取ることにより媒体を収納し、またテープをリールにより巻き戻すことで媒体をドラム外周から繰出すようにしたものがある（例えば、特許文献１参照）。
【０００３】
図５はこのような従来の媒体繰出し装置の概略側面図、図６はその斜視図である。図において１はドラム、２と３はリール、４は一方のリール２から繰出されるテープ、５は他方のリール３から繰出されるテープで、テープ４、５の一端はそれぞれリール２、３の外周に固定され、テープ４、５の他端はドラム１の外周に固定されている。
【０００４】
ここで、リール２から繰出されるテープ４はガイドローラ６及びガイドローラ７に巻き回わされてドラム1に導かれており、またリール３から繰出されるテープ５はガイドローラ８及び後述する搬送ローラと同軸に設けられている図示しないガイドローラに巻き回わされてドラム1に導かれていて、このテープ４と５はドラム１に最も近い位置に配置されているガイドローラ７の位置で上下に重ねられ、これによりテープ４と５はガイドローラ７及び図示しないガイドローラとガイドローラ７との間でＶ字をなすように張設されている。
【０００５】
また、テープ４と５は媒体９の中央部を挟持できるように、媒体搬送方向と直交する方向における媒体９の幅より小さい幅で、かつ同一の幅に形成されており、そしてドラム１の外周にはテープ４、５の幅よりやや大きい幅でかつ所定の深さの溝が設けられていて、ドラム１はこの溝内でテープ４，５を巻き取るようになっている。
尚、ドラム１と２つのリール２、３は、図示しないモータを駆動源として巻取り方向とその逆方向である繰出し方向の両方向に回転するものとなっている。
【０００６】
１０はドラム１と図示しない搬送手段との間に配置された媒体ガイド（図５では省略）で、この媒体ガイド１０は図示しない搬送手段により搬送されてくる媒体９をドラム1側にガイドすると共に、ドラム１から繰出される媒体９を前記搬送手段側にガイドするものとなっている。
【０００７】
１１ａと１１ｂはドラム１の外周から所定の間隔をあけて配置された搬送手段としての搬送ローラで、この搬送ローラ１１ａと１１ｂは媒体ガイド１０のドラム１側の端部においてそれぞれテープ４、５の外側に位置している。また、この搬送ローラ１１ａと１１ｂは互いに当接しており、そして搬送ローラ１１ａと１１ｂのいずれか一方が図示しないモータ（例えば、前記のモータとは別のモータ）を駆動源としてドラム１の回転方向に応じて回転するものとなっている。
【０００８】
ここで、搬送ローラ１１ａと１１ｂが互いに当接した位置からテープ４、５がドラム１に巻取られる位置つまりテープ５とドラム１が接触する位置までの間隔（長さ）は、媒体搬送方向における媒体９の長さよりも短い長さとなっており、また搬送ガイド１０の端部とドラム１の外周面との間には、ドラム１の外周に必要枚数の媒体９を収納するのに必要な間隔が確保されている。
【０００９】
この構成において、媒体収納時には、搬送ローラ１１ａ、１１ｂが回転している状態で図示しない搬送手段により搬送ガイド１０に沿って搬送されてきた媒体９は搬送ローラ１１ａ、１１ｂに挟持された後、搬送ローラ１１ａ、１１ｂの回転によりドラム１に向かって搬送され、Ｖ字状に開いているテープ４、５間に送込まれるが、媒体９の先端が搬送ローラ１１ａ、１１ｂの手前（または前方）で図示しないセンサにより検知されると、ドラム１がテープ４とテープ５を巻き取るように図５において矢印Ａで示した巻取り方向に回転し、それに伴ってリール２、３からテープ４、５が繰出される。
【００１０】
その後、媒体９はガイドローラ７の位置で重なるテープ４、５間に挟込まれ、ドラム１の回転によりテープ４、５と共にドラム１の外周に巻取られて収納される。
このようにして順次媒体９がドラム１の外周に巻取られて収納されるが、媒体ガイド１０の先端はドラム１の外周に対して所定の間隔を保つように配置されているので、媒体９は所定の枚数だけ支障なく巻取ることが可能である。
【００１１】
媒体繰出し時には、ドラム１が図５に矢印Ｂで示した繰出し方向に回転し、同時にリール２、３によりテープ４、５が巻き戻される。これにより媒体９はテープ４、５に挟まれたままドラム１の外周から１枚ずつ引き剥がされて繰出され、その先端が搬送ローラ１１ａと１１ｂに挟持された後、搬送ローラ１１ａと１１ｂの回転により媒体９は媒体ガイド１０に沿って図示しない搬送手段側に搬送される。
その際、テープ４、５はガイドローラ７の位置を通過すると分離され、それぞれローラ５、８を経てリール２、３に巻取られてゆく。
【先行技術文献】
【特許文献】
【００１２】
【特許文献１】特開２０１０−１１２３号公報
【発明の概要】
【発明が解決しようとする課題】
【００１３】
しかしながら、上述した従来の技術においては、以下の問題がある。
図７及び図８は従来技術の問題点を示す要部斜視図で、例えばドラム１に巻取られた媒体９の巻取り方向後部側に比較的長い切れ目があって、かつその切れ目がテープ４、５よりも外側にあり、しかも媒体繰出し時において、切れ目のある媒体９より先に繰出される媒体９がある等の理由によりドラム１が１回転以上回転した後に切れ目のある媒体９が繰出される場合、つまり切れ目のある媒体９に１回転以上のドラム１の回転を要する場合、この切れ目のある媒体９がドラム１と共に回転すると、図７に示すように切れ目から外側の部分９ａがドラム１の外周面から浮き上がって搬送ローラ１１ａと１１ｂの間に噛み込まれてしまうことがある。この場合、そのままドラム１及び搬送ローラ１１ａと１１ｂが回転すると、図８に示したようにテープ４、５に挟まれた媒体９がドラム１に沿って進み、搬送ローラ１１ａと１１ｂ間に噛み込まれた部分９ａが、搬送ローラ１１ａと１１ｂにより搬送されるため、搬送ローラ１１ａと１１ｂ間に噛み込まれた部分９ａが引き裂かれて媒体９から分離してしまうという問題がある。
本発明は、このような問題を解決することを課題とする。
【課題を解決するための手段】
【００１４】
そのため、本発明は、媒体の収納方向及び繰出し方向に回転するドラムと、該ドラムにテープを供給すると共に前記テープを巻き戻すリールと、前記ドラムの外周から所定の距離を置いて配置された搬送手段を備え、前記テープは媒体搬送方向と直交する方向の媒体の幅より狭い幅に形成され、媒体収納時に搬送手段により前記ドラムに向かって搬送される媒体を前記テープと共にドラムの外周に巻取って収納し、媒体繰出し時には前記テープを前記リールに巻戻して前記ドラムの外周から前記媒体を繰出すと共に前記搬送手段で搬送する媒体収納繰出し装置において、前記搬送手段を前記テープの幅以下に収まり、かつ前記テープと接触しない位置に配置したことを特徴とする。
【発明の効果】
【００１５】
このようにした本発明は、ドラムの外周面と所定の間隔をあけて配置される複数組の搬送ローラをテープの幅以下に入る間隔でかつテープと接触しないように配置した構成としているため、ドラムに巻き取られた媒体の巻取り方向後部側に切れ目があって、かつその切れ目がテープよりも外側にあった場合でも、媒体繰出し時に切れ目のある媒体がドラムと共に回転しているとき、切れ目から外側の部分が搬送手段に噛み込まれて媒体から分離するという事態を防止できるという効果が得られる。
【図面の簡単な説明】
【００１６】
【図１】第１の実施例を示す概略側面図
【図２】第１の実施例を示す要部斜視図
【図３】第１の実施例の作用を示す要部斜視図
【図４】第１の実施例の作用を示す要部斜視図
【図５】従来技術を示す概略側面図
【図６】従来技術を示す要部斜視図
【図７】従来技術の問題点を示す要部斜視図
【図８】従来技術の問題点を示す要部斜視図
【発明を実施するための形態】
【００１７】
以下、図面を参照して本発明による媒体収納繰出し装置の実施例を説明する。
【実施例１】
【００１８】
図１は第１の実施例を示す概略側面図、図２はその要部斜視図である。
この第１の実施例は、媒体ガイド１０のドラム１側の端部に該ドラム１の外周面と所定の間隔をあけて配置される搬送手段としての複数組（図では２組）の搬送ローラ１１ａと１１ｂをテープ４、５の幅以下に入る間隔でかつテープ４、５と接触しないように配置したもので、そのため本実施例では、ガイドローラ７と搬送ローラ１１ａ、１１ｂとの間の位置にガイドローラ１２を配置し、リール３から繰出されるテープ５をガイドローラ８及びガイドローラ１２に巻き回してドラム1に導いたものとしている。
【００１９】
この他の構成は従来のものと同様であるので同一の符号を付し、その説明を省略する。
上述した構成の作用について説明するが、以下に説明する各部の動作は、図示しない記憶部に格納されたプログラム（ソフトウェア）に基づいて図示しない制御部により制御されるものとする。
また、本実施例における媒体収納時の動作及び繰出し時の動作は基本的に従来と同様であるのでその説明は省略し、ここでは例えばドラム１に巻き取られた媒体９の巻取り方向後部側に切れ目があって、かつその切れ目がテープ４、５よりも外側にあった場合の、媒体繰出し時の作用について説明する。
【００２０】
図３及び図４はこの場合の作用を示す要部斜視図で、媒体繰出し時にドラム１が図１に矢印Ｂで示した方向に回転したとき、切れ目のある媒体９の繰出しについて、ドラム１が１回転以上回転する必要があると、図３に示すように切れ目から外側の部分９ａがドラム１の外周面から浮き上がることがあるが、本実施例では２組の搬送ローラ１１ａと１１ｂを上側テープ４及びテープ５の幅内に入る間隔で配置しているので、媒体９の切れ目から外側の部分９ａは搬送ローラ１１ａと１１ｂ間に噛み込まれることなく、ドラム１の回転に従って図４に示したように媒体ガイド１０と搬送ローラ１１ｂの下側を通り抜けてゆき、これにより切れ目が広がることが防止される。
【００２１】
そして、切れ目のある媒体９が繰り出されるとき、その媒体９はテープ４と５に挟まれたままドラム１の外周から１枚ずつ引き剥がされて繰出され、その先端が搬送ローラ１１ａと１１ｂが挟持された後、搬送ローラ１１ａと１１ｂの回転により媒体９は搬送されるが、その際切れ目から外側の部分９ａは媒体ガイド１０に沿って図示しない搬送手段側に搬送される。
【００２２】
以上説明したように、第１の実施例では、ドラム１の外周面と所定の間隔をあけて配置される複数組（図では２組）搬送ローラ１１ａと１１ｂをテープ４、５の幅以下に入る間隔でかつテープ４、５と接触しないように配置した構成としているため、ドラム１に巻き取られた媒体９の巻取り方向後部側に切れ目があって、かつその切れ目がテープ４、５よりも外側にあった場合でも、媒体繰出し時に切れ目のある媒体９がドラム１と共に回転しているとき、切れ目から外側の部分９ａが搬送ローラ１１ａと１１ｂ間に噛み込まれて媒体９から分離するという事態を防止できるという効果が得られる。
【００２３】
尚、上述した実施例では、媒体９を２本のテープ４、５で挟み、このテープ４、５と共に媒体９をドラム１に巻きつけて収納する構成に適用したが、例えばテープ５を省略してテープ４と共に媒体９をドラム１に巻きつけて収納する構成にも適用可能である。
また、上述した実施例では、媒体９をドラム１に搬送し、かつドラムから繰出される媒体を図示しない搬送手段側に搬送する搬送手段として搬送ローラ１１ａ、１１ｂを用いたが、この搬送ローラに代えて搬送ベルトを用いることも可能である。
【符号の説明】
【００２４】
１    ドラム
２、３  リール
４、５  テープ
６〜８  ガイドローラ
９    媒体
１０  媒体ガイド
１１ａ、１１ｂ  搬送ローラ
１２  ガイドローラ
【図１】
0005664209.tif 000002
【図２】
0005664209.tif 000003
【図３】
0005664209.tif 000004
【図４】
0005664209.tif 000005
【図５】
0005664209.tif 000006
【図６】
0005664209.tif 000007
【図７】
0005664209.tif 000008
【図８】
0005664209.tif 000009